(57)【要約】      （修正有） 【課題】滑り止め効果を高めるとともに、構造を簡単にして、家事の負担を軽減できる滑り止め布団カバーを提供する。【解決手段】滑り止め布団カバーは、表地と裏地を縫製してなり、裏地の内側に滑り止め構造４を備え、表地と裏地は、その周縁において、縫合部で縫製され一体化され、滑り止め構造は、通気口４ａと滑り止め凸部４ｂを有する二次元編物構造を含み、複数の通気口が規則的に配設され、通気口に囲まれるように、表面に、島状の複数の滑り止め凸部が配置される。【選択図】図５
0003226901.tif 000002
【実用新案登録請求の範囲】
【請求項１】
表地と裏地を縫製してなり、前記表地又は裏地の内側面に島状の滑り止め凸部を有する滑り止め構造を備える滑り止め布団カバー。
【請求項２】
前記滑り止め構造は、裏地の面方向に対して、上下方向に空気を通す通気口を有する、帯状の二次元編物構造であり、前記裏地に縫着され、前記滑り止め構造の面積が裏地の面積よりも小さく設定される請求項１に記載の滑り止め布団カバー。
【請求項３】
前記二次元編物構造は、編地が複数の前記通気口を有し、該通気口が間隔をあけて規則的に配設され、当該構造は、形態保持性と弾力性を有し、前記編地に前記滑り止め凸部を有する請求項２に記載の滑り止め布団カバー。
【請求項４】
前記通気口が円形、楕円形又は小判形状であり、前記通気口が蜂の巣状に配設される請求項２又は３に記載の滑り止め布団カバー。
【請求項５】
前記滑り止め凸部は、前記通気口に囲まれるように配置される請求項２〜４のいずれかに記載の滑り止め布団カバー。
【請求項６】
前記滑り止め構造は、裏地の短辺と平行に間隔をあけて配列される請求項１〜５のいずれかに記載の滑り止め布団カバー。
【請求項７】
前記滑り止め凸部は、ポリ塩化ビニル、或いは、シリコンからなる請求項１〜６のいずれかに記載の滑り止め布団カバー。
【考案の詳細な説明】
【技術分野】
【０００１】
本考案は、裏地の内側に滑り止め構造を有する滑り止め布団カバーである。
【背景技術】
【０００２】
特許文献１は、シリコーンゴム底部を有する滑り止めカーペットである。滑り止め機能がよく、構造が安定で、安全性が高い滑り止めカーペットを提供する。シリコーンゴム底部を有する滑り止めカーペット１００は、上から順に、糸層１、基布層２、乳剤層３、接合剤層４、不織布層５、及びシリコーンゴム層６を含む。シリコーンゴムを滑り止め材料として利用し、シリコーンゴムは、吸着性が高く、熱安定性がよく、化学的性質が安定で、水と溶剤に不溶で、毒性と匂いがないというメリットを有し、機械強度が比較的高い。
【０００３】
特許文献２は、さまざまな敷物に対応でき、とりわけ敷物の上にもう一枚別の敷物を重ねて敷く場合に、上の敷物がずれるのを確実に防止することのできる敷物の滑り止め材を提供する。基布１の片面側に、張りのある起立繊維２からなる起毛層３を有し、基布１の他方の面に高摩擦部材１２を付着したことを特徴とする。
【０００４】
特許文献３は、家庭用敷物滑り止めシートであり、床に厳密な平滑性を要求せず、家庭における様々な幅広い材料からなる床に、簡単に敷物を止着させることが出来、又、敷物の移動も容易に行えて、且つ、粘着跡が敷物にも床にも残らない家庭用敷物滑り止めシートを提供し、これによって、家庭内での転倒事故を防止し、敷物が常に美観を損なわずに敷設され、掃除も容易に行うことが出来る。
【０００５】
特許文献４は、掛け布団に掛け布団カバーを迅速かつ確実に、ずれ動き難い状態で装着できるようにするため、掛け布団２に装着される掛け布団カバー３であって、掛け布団の下面側に配置される矩形シート状のカバー本体４と、カバー本体の長手方向の一端部に設けられ掛け布団の長手方向の一端部が収容される収容部６と、カバー本体に設けられ掛け布団の長手方向の一端部を収容部に収容して掛け布団にカバー本体を装着したときに、カバー本体と掛け布団とがずれ動くのを阻止する滑り止め部１３，１４とを具備する。
【先行技術文献】
【特許文献】
【０００６】
【特許文献１】実用新案登録第３２１４５８６号公報
【特許文献２】特開２００３−１５９１７２号公報
【特許文献３】特開２００２−２５３４１８号公報
【特許文献４】特開２０２０−２５６３５号公報
【考案の概要】
【考案が解決しようとする課題】
【０００７】
従来の滑り止め構造は、ある程度の滑り止め効果はあるものの、構造が複雑化して、家事の負担が増大するおそれがある。
【０００８】
本考案は、滑り止め効果を高めるとともに、家事の負担を軽減することを課題とする。
【課題を解決するための手段】
【０００９】
上記課題に鑑み、請求項１の考案は、表地と裏地を縫製してなり、前記表地又は裏地の内側面に島状の滑り止め凸部を有する滑り止め構造を備える滑り止め布団カバーである。
【００１０】
「滑り止め布団カバー」とは、布団カバーと布団カバー内の布団とのずれを防止する、滑り止め作用のある布団カバーである。
【００１１】
請求項２の考案は、前記滑り止め構造は、裏地の面方向に対して、上下方向に空気を通す通気口を有する、帯状の二次元編物構造であり、前記裏地に縫着され、前記滑り止め構造の面積が裏地の面積よりも小さく設定される請求項１に記載の滑り止め布団カバーである。
【００１２】
請求項３の考案は、前記二次元編物構造は、編地が複数の前記通気口を有し、該通気口が間隔をあけて規則的に配設され、当該構造は、形態保持性と弾力性を有し、前記編地に前記滑り止め凸部を有する請求項２に記載の滑り止め布団カバーである。「規則的に」は、蜂の巣状、又は格子状等が例示される。
【００１３】
請求項４の考案は、前記通気口が円形、楕円形又は小判形状であり、前記通気口が蜂の巣状に配置される請求項２又は３に記載の滑り止め布団カバーである。
【００１４】
請求項５の考案は、前記滑り止め凸部は、前記通気口に囲まれるように配置される請求項２〜４のいずれかに記載の滑り止め布団カバーである。
【００１５】
請求項６の考案は、前記滑り止め構造は、裏地の短辺と平行に間隔をあけて配列される請求項１〜５のいずれかに記載の滑り止め布団カバーである。  
【００１６】
請求項７の考案は、前記滑り止め凸部は、ポリ塩化ビニル、或いは、シリコンからなる請求項１〜６のいずれかに記載の滑り止め布団カバー。前記滑り止め凸部は、滑り止め液の塗布等により設けられる。
【考案の効果】
【００１７】
請求項１の考案によれば、優れた滑り止め効果を発揮し、家事の負担を軽減することができる。
【００１８】
請求項２の考案によれば、前記滑り止め構造が、裏地の面方向に対して、上下方向に空気を通す通気口を有する、帯状の二次元編物構造であり、前記裏地に縫着され、前記滑り止め構造の面積が裏地の面積よりも小さく設定されるので、コストを削減しつつ、効果的な滑り止め効果が得られる。
【００１９】
請求項３の考案によれば、前記二次元編物構造は、編地が複数の前記通気口を有し、該通気口が間隔をあけて規則的に配設され、当該構造は、形態保持性と弾力性を有し、前記編地に前記滑り止め凸部を有するので、当該構造が変形することで、滑り力を吸収し、滑り止め効果を高めることができる。
【００２０】
請求項４の考案によれば、前記通気口が円形、楕円形又は小判形状であり、前記通気口が蜂の巣状に配設されているので、滑り抵抗性が円滑に発揮できる。
【００２１】
請求項５の考案によれば、前記滑り止め凸部は、前記通気口に囲まれるように配置されるので、滑り止め効果を高めることができる。
【００２２】
請求項６の考案によれば、前記滑り止め構造は、裏地の短辺と平行に間隔をあけて配列されるので、上下左右方向に対して、滑り止め効果を発揮できる。
【００２３】
請求項７の考案によれば、前記滑り止め凸部は、ポリ塩化ビニル、或いは、シリコンからなるので、滑り止め効果を高めることができる。
【図面の簡単な説明】
【００２４】
【図１】本考案の実施形態１の滑り止め布団カバーを、内外裏返した状態で、表地側から見た図である。
【図２】図１の部分拡大図である。
【図３】本考案の実施形態１の滑り止め布団カバーを、内外裏返した状態で、裏地側から見た図である。
【図４】図３の部分拡大図である。
【図５】本考案の実施形態１の滑り止め布団カバーの裏地の滑り止め構造の部分拡大図である。
【考案を実施するための形態】
【００２５】
本考案の実施形態の滑り止め布団カバーについて図面を参照し説明する。
【００２６】
上記課題に鑑み、本考案実施形態の滑り止め布団カバー１は、図１〜図５に示す通り、表地２と裏地３を縫製してなる、裏地３の内側の一部に、例えば、帯状の複数の面状の滑り止め構造４を備えるものである。表地２と裏地３は、その周縁において、縫合部６で縫製され、一体化されていて、ファスナー５において開閉可能である。
【００２７】
表地２と裏地３は、布帛である。
【００２８】
滑り止め構造４は、裏地３の面方向に対して上下方向に空気を通す通気口４ａと、滑り止め凸部４ｂとを有する帯状の二次元編物構造であり、裏地３に縫着され、滑り止め構造４の面積が裏地３の面積よりも小さく設定される。
【００２９】
滑り止め構造４は、少なくとも編物の表面に、例えば、ポリ塩化ビニル、或いは、シリコンゴムの滑り止め凸部４ｂを設けたものである。滑り止め凸部４ｂは、通気口４ａに囲まれるように表面に配置される。滑り止め凸部４ｂの直径は１〜２ｍｍ、高さは１〜２ｍｍが好ましい。
【００３０】
滑り止め構造４の二次元編物構造は、通気口４ａを有する編地から構成され、当該構造は、形態保持性と弾力性を有する構造であり、裏表のいずれの側でも適用できる。二次元編物構造の厚みは０．２ｍｍ〜３ｍｍが好ましい。
【００３１】
滑り止め凸部４ｂは、ポリ塩化ビニル、或いは、シリコンからなる。編地の通気口４ａを除いた領域に島状の滑り止め凸部４ｂを設けている。編地が、裏地３の面方向に対して、上下方向に空気を通す、複数の通気口４ａを規則的に配置する。通気口４ａは蜂の巣形状又は格子形状に、規則的に均等に間隔をあけて配列される。通気口４ａの穴径は１〜１０ｍｍが好ましい。
【００３２】
二次元編物構造は、通常、ダブルラッセル編機、ダブルトリコット編機、ダブル丸編機、Ｖヘッドを有する横編機等で編成される。編地を構成する糸としてはポリエステル系繊維、ポリエチレン繊維、ポリプロピレン繊維、ポリ塩化ビニル繊維、ポリ塩化ビニリデン繊維などの非吸水性の繊維が用いられる。通常圧縮回復率の優れたポリエステル系繊維が用いられる。編地は、ハニカム状（蜂の巣状）に同一形状の円形、楕円形、小判形、六角形等の通気口４ａが規則的に多数、配設されている。このような構成であれば、滑り止め効果を高くすることができる。
【００３３】
以上の通り、本考案の実施形態によれば、滑り止め布団カバー１の裏地３の内側に通気口４ａと滑り止め凸部４ｂを有する滑り止め構造４を有し、裏地３そのものが滑り止め効果を有していることから、構造の複雑化を防止でき、良好な滑り止め効果が得られる。家事の負担を軽減できる。例えば、布団カバーにひものついた製品において、ひもの結びなおし作業が面倒だったが、このカバーはひもがいらないので、付け替えが本当に簡単であり、汚れても洗いやすい。また、特許文献４のように、パーツを装着したり脱着したりする等の準備作業の手間がかからない。
【００３４】
以上の実施形態は、本考案の実施のための好ましい実施形態の例示である。また、当業者は、本考案の開示に鑑みて、本考案の要旨から離れることなく多数の改良、変更、置換、欠失、追加等が可能である。
【産業上の利用可能性】
【００３５】
本考案は、布団カバーの滑り止めに利用可能である。
【符号の説明】
【００３６】
１    滑り止め布団カバー
２    表地
３    裏地
４    滑り止め構造
４ａ  通気口
４ｂ  滑り止め凸部
５    ファスナー
６    縫合部
【図１】
0003226901.tif 000003
【図２】
0003226901.tif 000004
【図３】
0003226901.tif 000005
【図４】
0003226901.tif 000006
【図５】
0003226901.tif 000007